(57)【要約】【課題】  ターフ取りのアイアンショットに近い感覚のアイアンの練習ができるゴルフ練習器を提供する。【解決手段】  接地ベース２を厚み５ｍｍの２枚の上層・下層のベース板２ａ，２ｂを重ね、同上層ベース板の前方中央部に長さ１２ｃｍの巾で左右方向に２４ｃｍの切り抜き部２ｃを設けて接地ベース２に空所２ｄを形成し、同接地ベースの前縁部に断面Ｃ形の箱型管体３を固着し、滑り易いシート１ｇを底面に取り付けた人工芝マット１を接地ベース２の前方に配置するとともに、人工芝マット１のマットベース１ａの前縁中央部を長く伸ばした延伸部１ｃの前縁に沿って剛体部材１ｄを取り付け、箱型管体３の後方のスリット状開口３ａを介して人工芝マット１の延伸部１ｃを貫入し、剛体部材１ｄを箱型管体３内に封入し、箱型管体３の左右のエンドキャップ３ｂ，３ｃと剛体部材１ｄとの間にヘリカルスプリング３ｄ，３ｅを封入し、人工芝マット１をスライド可能とした。【選択図】  図１
2009101148.tif 000002
【特許請求の範囲】
【請求項１】
マットベースに人工芝を多数植生した人工芝マットを肉厚の弾性ある接地ベースの上面に載置したゴルフ練習器であって、接地ベースの上面にアイアンのヘッドのエッジ長さより長い巾で且つゴルフ球の飛球方向に長く延びた深さが３ｍｍ以上の空所を設け、同空所の上に人工芝マットが張り渡されるように載置し、ゴルフ球を空所上方の人工芝マット上面に置いてアイアンヘッドを打ち込むことでターフ感覚のアイアン練習を可能とした、ゴルフ練習器。
【請求項２】
人工芝マットの前縁又は後縁に沿って剛体部材を取り付けた、請求項１記載のゴルフ練習器。
【請求項３】
接地ベースが上下２層の弾性あるベース板を重層したものであり、しかも上層のベース板は３ｍｍ以上の肉厚であり、同上層のベース板にアイアンのヘッド長さより長い巾で且つゴルフ球の飛球方向に長く延びた形状の切り抜きを設けて空所を形成したものである、請求項１又は２記載のゴルフ練習器。
【請求項４】
接地ベースの空所下方の底面に弾性板を付設した、請求項１〜３何れか記載のゴルフ練習器。
【請求項５】
練習用ゴルフ球に長い紐を取り付けてその紐端を器具・地面に係留できるようにした練習用紐付ゴルフ球を備えた、請求項１〜４何れか記載のゴルフ練習器。
【請求項６】
接地ベースの前縁の左右いずれかの隅部に練習用ゴルフ球の飛球を受ける受板を接地ベースから飛球方向へ突出するように取り付け、しかも受板の長さを練習用ゴルフ球の紐の長さより長く形成した、請求項５記載のゴルフ練習器。
【請求項７】
受板が断面Ｌ字型で、その水平部にアンカー釘を挿入するためのアンカー挿入孔を形成した、請求項６記載のゴルフ練習器。
【請求項８】
人工芝マット全体が接地ベースに対してゴルフ球の飛球方向にスライド可能とし、しかも人工芝マットが所定位置に戻るように付勢力を加える付勢手段を備えた、請求項１〜７何れか記載のゴルフ練習器。
【請求項９】
人工芝マットのマット底面に滑りがよい素材のシートを付着した、請求項８記載のゴルフ練習器。
【請求項１０】
人工芝マット全体のスライド可能とする構造及び付勢手段が、人工芝マット前縁中央部分のマットベースを前方に延伸し、マットベースのこの延伸部分に剛体部材を取り付け、後面下位に人工芝マットのマットベースが挿入できるスリット状の開口を有する箱型管体を接地ベースの前縁上面に前縁に沿って取り付け、同箱型管体の開口を介して人工芝のマットベースの前記延伸部分を挿入して剛体部材を箱型管体内部に封入し、更に箱型管体の前後端を閉鎖し、箱型管体内部の左右両端側部分それぞれに剛体部材と当接して所定位置に戻す付勢力を発生するスプリングを封止した構造である、請求項８又は９記載のゴルフ練習器。
【請求項１１】
ゴルフ球の飛球方向側の人工芝マット位置にゴム製ティーアップを着脱自在に挿入するティーアップ用孔を設けた、請求項１〜１０何れか記載のゴルフ練習器。
【請求項１２】
接地ベースを練習者が立つスタンス位置及びその後方方向に長く延長し、同延長部上面にパター練習用マットを固着し、同パター練習用マットの後方端側の中央部にゴルフ球より大きい直径の大きさのパター練習用球受穴を形成した、請求項１〜１１何れか記載のゴルフ練習器。
【発明の詳細な説明】
【技術分野】
【０００１】
本発明は、人工芝上のゴルフ球をショットするゴルフ練習器であって、フェアウェイにおけるアイアンによるターフを作るようなアイアンショット打法の練習に適したゴルフ練習器であり、ティーアップの球のウッドによるショット及びパター練習にも使えるようにもできるゴルフ練習器に関する。
【背景技術】
【０００２】
従来の人工芝を用いたゴルフ練習器は、ゴルフ練習場で広く使用されている。従来のゴルフ練習器は、１０ｍｍ程の肉厚のゴム製の弾性ある接地ベース上に人工芝マットを載置するものであり、接地ベースの周縁部を高くして段差又は枠を設け、人工芝マットがショットの力で飛球方向に移動するのを防いでいる。又ゴルフ練習器はコンクリート床面又は固い板面・地面上に置かれるので、アイアン又はウッドの打ち込んだ時の衝撃・力でアイアン・ウッドの道具が損傷・破損するのを防ぐため、及び手・手首・肩を傷めないようにするため、接地ベースは肉厚の弾性体（弾性変形して柔軟性があるゴム等）の素材を使用している。
【０００３】
しかしながら、ゴルフ球を従来の人工芝マット上に置いてアイアンをフェアウェイのターフを取るように打ち込んでも、アイアンのヘッドは人工芝の芝を変形させながらマットベース近くに入ってもこれ以上は人工芝を変形・圧縮できずしかも人工芝マットのマットベースと下方の接地ベースも下方が固い地面・コンクリート，板面の床面に置かれるので少しの圧縮変形しかできないので、ヘッドのエッジ（前縁）はマットベース面から下方へ沈み込まず、ヘッドのソールが人工芝と接触してアイアンヘッドのエッジ（前縁）は前方の人工芝の芝を変形させながらマットベースの上方を略平行に又はややエッジを起こすように滑って移動していく。そのため、アイアンヘッドのエッジが芝の地面に食い込んで地面の一部及びその上の芝を一緒に切り取るように動くアイアンのターフができるショットとはかなり異なった球筋及びショット感のものとなっていた。又、肉厚の接地ベース・人工芝の変形・圧縮があるといえども強くアイアンヘッドを打ち込むと、やはり肩・手首を傷つけることがあり、練習者は意識的に打ち込みの力を弱めるようになる。そのため、ターフ取りのアイアンショットの練習が従来の人工芝マットではできにくいものであった。
【０００４】
又、これとは別に、特許文献１には枠部内側の人工芝のマット本体を複数の弾性支持体で支持する構造のターフ感触を与えるゴルフ練習用マットが開示されている。
【０００５】
しかしながら、上記公報のゴルフ練習用マットは、複数の弾性支持体で打ち込んだアイアンヘッドの衝撃を和らげるだけであって、アイアンのヘッドは弾性支持体の圧縮変形分しか沈み込まず、実際のターフに近い充分な沈み込み量が確保しにくいものである。
【０００６】
更に、ターフ取りのアイアンショットでは地面の一部とその上の芝を切り取る際にターフ取りの地面からの水平の抵抗力があるが、公報の練習用マットでは人工芝の芝との摩擦力だけであるので弱く、抵抗があるターフ感覚が充分でなかった。
【０００７】
特許文献２には、人工芝マットの上面に凹みを設けたゴルフ練習器があるが、これでは実際にゴルフ球を芝上に置いてのターフ取りのアイアンショットの練習はできないものである。
【特許文献１】特開平９−１９５２５号公報
【特許文献２】実開昭６２−７２６７５号公報
【発明の開示】
【発明が解決しようとする課題】
【０００８】
本発明が解決しようとする課題は、従来の問題点を解消し、実際のターフ取りのアイアンショットに近い感覚のアイアンの練習ができるゴルフ練習器を提供することにある。
【課題を解決するための手段】
【０００９】
かかる課題を解決した本発明の構成は、
１）  マットベースに人工芝を多数植生した人工芝マットを肉厚の弾性ある接地ベースの上面に載置したゴルフ練習器であって、接地ベースの上面にアイアンのヘッドのエッジ長さより長い巾で且つゴルフ球の飛球方向に長く延びた深さが３ｍｍ以上の空所を設け、同空所の上に人工芝マットが張り渡されるように載置し、ゴルフ球を空所上方の人工芝マット上面に置いてアイアンヘッドを打ち込むことでターフ感覚のアイアン練習を可能とした、ゴルフ練習器
２）  人工芝マットの前縁又は後縁に沿って剛体部材を取り付けた、前記１）記載のゴルフ練習器
３）  接地ベースが上下２層の弾性あるベース板を重層したものであり、しかも上層のベース板は３ｍｍ以上の肉厚であり、同上層のベース板にアイアンのヘッド長さより長い巾で且つゴルフ球の飛球方向に長く延びた形状の切り抜きを設けて空所を形成したものである、前記１）又は２）記載のゴルフ練習器
４）  接地ベースの空所下方の底面に弾性板を付設した、前記１）〜３）何れか記載のゴルフ練習器
５）  練習用ゴルフ球に長い紐を取り付けてその紐端を器具・地面に係留できるようにした練習用紐付ゴルフ球を備えた、前記１）〜４）何れか記載のゴルフ練習器
６）  接地ベースの前縁の左右いずれかの隅部に練習用ゴルフ球の飛球を受ける受板を接地ベースから飛球方向へ突出するように取り付け、しかも受板の長さを練習用ゴルフ球の紐の長さより長く形成した、前記５）記載のゴルフ練習器
７）  受板が断面Ｌ字型で、その水平部にアンカー釘を挿入するためのアンカー挿入孔を形成した、前記６）記載のゴルフ練習器
８）  人工芝マット全体が接地ベースに対してゴルフ球の飛球方向にスライド可能とし、しかも人工芝マットが所定位置に戻るように付勢力を加える付勢手段を備えた、前記１）〜７）何れか記載のゴルフ練習器
９）  人工芝マットのマット底面に滑りがよい素材のシートを付着した、前記８）記載のゴルフ練習器
１０）  人工芝マット全体のスライド可能とする構造及び付勢手段が、人工芝マット前縁中央部分のマットベースを前方に延伸し、マットベースのこの延伸部分に剛体部材を取り付け、後面下位に人工芝マットのマットベースが挿入できるスリット状の開口を有する箱型管体を接地ベースの前縁上面に前縁に沿って取り付け、同箱型管体の開口を介して人工芝のマットベースの前記延伸部分を挿入して剛体部材を箱型管体内部に封入し、更に箱型管体の前後端を閉鎖し、箱型管体内部の左右両端側部分それぞれに剛体部材と当接して所定位置に戻す付勢力を発生するスプリングを封止した構造である、前記８）又は９）記載のゴルフ練習器
１１）  ゴルフ球の飛球方向側の人工芝マット位置にゴム製ティーアップを着脱自在に挿入するティーアップ用孔を設けた、前記１）〜１０）何れか記載のゴルフ練習器
１２）  接地ベースを練習者が立つスタンス位置及びその後方方向に長く延長し、同延長部上面にパター練習用マットを固着し、同パター練習用マットの後方端側の中央部にゴルフ球より大きい直径の大きさのパター練習用球受穴を形成した、前記１）〜１１）何れか記載のゴルフ練習器
にある。
【発明の効果】
【００１０】
本発明によれば、接地ベースを凹まして人工芝マットの下方の一部に空所を形成することで、アイアンのヘッドが空所の方へ沈降するように打ち込むことができるので、実際のアイアンのターフ取りのショット打法に近いショット感覚とショット状態を可能とした。又この空所は、アイアンヘッドの打ち込み時のクッション（緩衝）作用を生起し、練習者の手首・肩及び人工芝自体を傷めるのを防ぐ。
【００１１】
人工芝マットの前縁又は後縁の辺に沿って剛体部材を取り付ければ、人工芝マットへのアイアンヘッドの打ち込みの際に、人工芝マットが打ち込み個所へ寄ってきてシワとなることを剛体部材がその寄りを抑止し、シワとなることなく、人工芝の傷みを軽減させる。
又、人工芝マットの飛球方向への全体移動を人工芝マットの姿を崩さずに可能とする。
【００１２】
人工芝マットが飛球方向にスライド可能とし、且つ人工芝マットが所定位置に戻るように付勢力を加える付勢手段を備えれば、打ち込んだヘッドの打ち込み力の水平分力で人工芝マットを移動させ、アイアンヘッドを強く打ち込んでも、人工芝マット全体が飛球方向に少し移動してその打ち込みの水平方向分力を逃がすことができ手首・肩・人工芝マット等を傷めず、且つアイアンヘッドがフェアウェイの地盤を沈み込んで切り取るときの抵抗感とヘッドの移動感を与え、よりターフ取りショットに近づけることができる。
更に、人工芝マットが付勢手段があるので、移動後所定位置に戻って静止することで、次のショットが手間かけず迅速にできる。
【００１３】
スライドできる人工芝マットの底面に下面が滑り性のよいシートを固着すれば、接地ベースに対する人工芝マットの移動性がよくなり、人工芝マットに過大な水平方向の外力が作用しても、滑って移動して、人工芝マットが傷みにくく、又人工芝マットの強度も増して破損しにくくなり、耐久性が向上する。又フェアウェイの抵抗力が小さい柔らかい地面でのターフ感を与えることができるようになる。
【００１４】
更に、接地ベースをスタンスの位置後方に長く延長してパター練習用マットを固着すれば、パター練習も可能にできる効果がある。
【発明を実施するための最良の形態】
【００１５】
本発明に用いる人工芝マットとしては、強度のあるマットベースに摩擦に強く、変形可能な耐久性のある人工芝を植生したものが使用される。代表的には、強い繊維線のネットの上に耐久性と耐摩擦力があるプラスチックを被せて１〜２ｍｍ程の厚みのマットベースにし、これに１５ｍｍ程の高さの緑色の上記プラスチックと同じ素材の人工芝突起を多数植生したものが使用される。
【００１６】
接地ベースに設ける空所の深さは、３ｍｍ以上でなければアイアンのヘッドの沈み込みのターフ感は出ず、５ｍｍ深さ程が好ましい深さである。空所の巾は、アイアンのヘッドのエッジ（前縁）の水平部分の長さ（エッジ長さ）より大きくするが、余裕をもって１０ｃｍ以上が実用的である。空所の左右の長さは２０ｃｍ以上が実用的である。空所の形成方法は、１０ｍｍ厚み程の接地ベースに製造時に一体的に空所を設けてもよいし、肉厚のゴム板から切り取って形成してもよい。又は接地ベースを５ｍｍ程の肉厚の上層・下層のベース板を重層して固着するときに、上層ベース板に空所の空間を切り抜いた後に上層・下層ベース板を重層して固着することでも製作できる。
【００１７】
接地ベースは練習者の肩・手・手首・アイアンのヘッドを緩衝力で保護するものであり、１０ｍｍ厚みのゴム弾性体を使用するのが実用的である。
【００１８】
人工芝マットのスライド可能の構造として、芝を植生するマットベースの前縁の中央部を前方に延ばし、その延伸した前縁中央部に剛性のある剛体部材を固着させることで、人工芝マット全体を捩れることなく一定方向（飛球方向）へ移動させることができる。又この剛体部材は、接地ベースの前縁に固着した剛体部材のガイド部材によってガイドされて、一定方向（空所の長手方向）に移動させる。そして人工芝マットの付勢手段もこの剛体部材によってマット全体が所定の位置（人工芝マットのショットするときの静止位置）に捩れずに正しい状態で戻せるようにする。
又人工芝マットの底面に固着する滑り性のよいシートとしては、滑り性のよいプラスチックシートを採用するのがよい。
【００１９】
人工芝マットがスライドして移動するときの水平方向の抗力を与えるようにする付勢手段としては、スプリング、ゴム紐、柱状弾性体等があるが、一般にスプリングを使用する。この付勢力がターフの切り取り時の水平抵抗力の感じを生起させる。水平抵抗力の程度は、適宜、スプリング係数、人工芝マットの滑り摩擦力、シートの滑り易さでもって調整する。又、付勢手段はショット後に人工芝マットを初期位置に戻す働きをする。
尚、本発明は、人工芝マットがスライドするタイプとスライドしないタイプとがあり、両方を含むものである。
【００２０】
上記のガイド部材として、後面の一部をスリット状に開口した断面Ｃ型の箱型管体を使用し、人工芝マットのマットベースの前方に延伸した前縁中央部を箱型管体の開口に挿入し、箱型管体の内部に人工芝マットの前縁の剛体部材を挿入し、箱型管体の左端又は右端と剛体部材の左右端との間それぞれに付勢手段のスプリングを封入する構造とし、左右のスプリングの平衡する位置で人工芝マットを初期位置（ショットする時の位置）に戻す構造が実用的である。
【００２１】
又、人工芝マットには、市販のゴム製ティーアップ器を取り付ける孔を設け、ティーアップしてのドライバーショットするようにできることが好ましい。
【００２２】
更に、接地ベースを後方に長く延ばしてその延長部上に芝が短いグリーンを模したパター練習用マットを敷いて、その後端近くにゴルフ球の球受穴を設けてこの延長部をパットの練習用に使用できるようにすることが好ましい。
【００２３】
接地ベースの上面の空所のベースの厚みは、空所の深さ分だけ薄くなって緩衝力が弱くなっているので、空所下方の接地ベース底面に別の弾性板を付設することで空所下方の緩衝力（弾性力）を補強することが好ましい。
【実施例１】
【００２４】
以下、本発明の実施例をもって具体的に説明する。
本実施例１は、接地ベースを厚み５ｍｍの肉厚の２枚の上層・下層のベース板を重層して固着させたもので、空所は上層のベース板の前方の中央部にアイアンヘッドのエッジ長さより長い１２ｃｍ程の巾で且つ飛球方向の左右方向（箱型管体の長手方向，剛体部材方向）に長さ２４ｃｍ程の孔を切り抜いて形成する。又人工芝マットのマットベースを前縁中央部を延伸し、この部分の上下にプラスチック製剛体部材を取り付けている。又接地ベースの前縁には断面Ｃ型のスリットを有する箱型管体を取り付けていて、同箱型管体の左右端をエンドキャップで閉塞し、同エンドキャップと内部に封入した人工芝マットの剛体部材の左右端との間にそれぞれヘリカルスプリングを封止している。人工芝マットは接地ベース上左右方向にスライド自在であり、スプリング力が平衡した初期位置に自動的に戻るようになっている。又、この初期位置（ショットするときの人工芝マットの位置）からの左右のスライド量に応じてスプリングの付勢力が高くなるようになっている。
又、本実施例１では、人工芝マットの左右端それぞれにゴム製ティーアップ器の取付用の孔が設けられ、更に接地ベースの練習者のスタンスする位置及びその後方へ長く延長させていて、その延長部の上にパター練習用マットを固着し、その後端近くに球受穴を形成させた右打ち、左打ち両方ともできるゴルフ練習器の例である。
【００２５】
図１は、実施例１を示す平面図である。
図２は、図１のＡ−Ａ断面図である。
図３は、図１のＢ−Ｂ断面を示す拡大断面図である。
図４は、実施例１の人工芝マットを示す平面図である。
図５は、実施例１の接地ベースを示す平面図である。
図６は、図１のＣ−Ｃ断面図である。
図７は、実施例１のアイアンヘッドの打ち込み状態を示す説明図である。
図８は、実施例２のゴルフ練習器を示す平面図である。
【００２６】
図中、１は左右長さ５１ｃｍで前後長さ３０ｃｍ程の人工芝マット、１ａは同人工芝マットのネットに耐久性のある軟質樹脂を被せた１．５ｍｍ程の厚みのマットベース、１ｂは同マットベースに植生させた同じ軟質樹脂による１５ｍｍ高さの人工芝、１ｃはマットベース１ａの３３ｃｍ程の左右長さの前縁中央部の２ｃｍ程の前方への延伸長さの芝の植生のない延伸部、１ｄは同延伸部１ｃの上下にリベット１ｉによって取り付けたプラスチック製剛体部材、１ｅはゴム製ティーアップ器１ｆを下方から挿入して固定する１６ｍｍ直径のティーアップ用孔、１ｆは円盤ベースの中央に筒体を立設した市販のゴム製のティーアップ器、１ｇは延伸部１ｃ，剛体部材１ｄの位置でリベット１ｉで取り付けられた、マットベース１ａの底面に付着させたプラスチック製の滑り易い素材のシート、１ｈは人工芝マット１のゴルフ球４のプレース位置マークである。２は左右長さ５１ｃｍで延長部２ｅを加えた前後長さが１２５ｃｍの上下２層のベース板２ａ，２ｂを重層させた接地ベース、２ａは５ｍｍ厚みのゴム製上層ベース板、２ｂは５ｍｍ厚みのゴム製下層ベース板、２ｃは上層ベース板２ａの人工芝マット１を敷く前方部の中央に設けた、左右端を円弧状とした前後巾１２ｃｍで左右長２４ｃｍの空所２ｄを形成する切り抜き部、２ｄは空所、２ｅは接地ベース２の延長部、２ｆは同延長部の上面に固着した短い芝のグリーンを近似させるパター練習用マット、２ｇは延長部２ｅとパター練習用マット２ｆの後端近くに設けた１０ｃｍ直径のパター練習用球受穴、３は接地ベースの前縁に取り付ける断面Ｃ形状の箱型管体、３ａは箱型管体３の後面のスリット状開口、３ｂ，３ｃは箱型管体３の左右端に取り付けたエンドキャップ、３ｄ，３ｅは箱型管体３の内部の左右側それぞれに封入した付勢力を与える付勢手段となるヘリカルスプリングであって、エンドキャップ３ｂと人工芝マット１の剛体部材１ｄの左右端と当接している。３ｆ，３ｇはエンドキャップ３ｂから左右方向に突出させ、ヘリカルスプリング３ｄ，３ｅの中心に挿入されたスプリング規制ねじ軸、３ｈは箱型管体３の底面と上層接地ベース板２ａと下層接地ベース板２ｂとを連結するビス、３ｉは箱型管体３の底面の左右端からの延長部分でアンカー挿入孔３ｊを有するアンカー係止部、４は長い紐４ａを取り付けた練習用ゴルフ球、４ａはゴルフ球の紐、４ｂは同紐の端を箱型管体３に固定する結着部、５はアイアン、５ａはアイアンヘッド、５ｂはアイアンヘッドのエッジ（前縁）、５ｃはアイアンヘッド５ａのソール、６は空所２ｄ下方の下層ベース板２ｂ底面に貼付けたゴム製弾性体、７は接地ベース２を地面に固定するためのアンカー釘であって、アンカー係止部３ｉのアンカー挿入孔３ｊに挿入して地面に打ち込んで固定する。Ｌはアイアンヘッド５ａのエッジの長さである。
【００２７】
この実施例１では、まず接地ベース２は地面の上に置き、その前端に取り付けた箱型管体３の左右端のアンカー係止部３ｉのアンカー挿入孔３ｊにアンカー釘７を打ち込んで、接地ベース２を地面に固定する。人工芝マット１は接地ベースの前方部３０ｃｍ程の位置にゴルフ球の飛球方向にスライド自在に載置され、使用しない時は左右のヘリカルスプリング３ｄ，３ｅが平衡する位置で静止し、この位置がショットする時の初期位置（所定位置）となる。この静止位置の人工芝マット１で空所２ｄの上方にあるゴルフ球のプレース位置マーク１ｈのある上に紐４ａ付のゴルフ練習用ゴルフ球４又は紐のない通常のゴルフ球を置く。
【００２８】
そして、練習者はアイアン５のアイアンヘッド５ａをゴルフ球の後方近くの位置に向けてターフ取りのアイアンショットのように上方から斜めに打ち込む。
すると、アイアンヘッド５ａのエッジ５ｂは打ち込まれた個所の人工芝マット１を下方の空所２ｄ方向に押し下げながらその個所の人工芝１ｂをエッジ５ｂで圧縮するように変形させながら前方へ人工芝マット１を押しやるように動き、アイアンヘッド５ａにはその人工芝マット１の空所２ｄへの変形によって人工芝マット１から水平の大きな抵抗が与えられ、これがターフ取りのアイアンが地面に食い込むときの抵抗の感覚を与える。人工芝マット１の底面のシート１ｇによって、人工芝マット１の移動性は高くなって、ある程度の力で人工芝マットは移動できるようにしている。
【００２９】
実施例１では、人工芝マット１の打ち込み個所が下方の空所２ｄに沈み込むことで、アイアンヘッド５ａには上記のある程度の基本的な水平方向の抵抗（抗力）を与える。これによってアイアンヘッド５ａが人工芝マット１の上面を滑って逃げないようにするとともに、人工芝マット１は飛球方向に押し込まれヘリカルスプリング３ｄのスプリング力に抗して飛球方向に移動する。その移動は移動量が大きい程ヘリカルスプリング３ｄの圧縮力が強くなるのでアイアンヘッド５ａが地面に深く沈んで地面を水平に切り出す時のターフの感覚を与える。
そして、アイアンヘッド５ａは沈み込んで飛球方向に移動して、ゴルフ球に当たって、ゴルフ球を飛ばすものである。
【００３０】
このように、本実施例１では、空所２ｄ及び人工芝マットのシート１ｇと接地ベースとの間の摩擦力、ヘリカルスプリング３ｄ，３ｅの働きによってターフ感覚の抵抗感を与えることができる。そして、ショット後は飛球側の圧縮されたヘリカルスプリング３ｄのスプリング力によって人工芝マット１は初期位置に自動的に戻され、次のアイアンショットを直ちに行えるマット状態とする。
【００３１】
又、剛体部材１ｄは人工芝マット１の前縁を張った状態にするように拘束し、アイアンヘッドが打ち込まれた個所に向かって人工芝マットが寄ってシワになるのを防ぎ、又人工芝マット１の全体移動の際に人工芝マット１の姿が捩れたり、崩れたりすることを抑止している。
【００３２】
本実施例１では、アイアンショットばかりでなく、ティーアップ用孔１ｅに市販のティーアップ器１ｆを挿入すれば、ティーアップで球をショットするウッドによるショットも可能としている。しかも、接地ベース２は後方に１ｍ以上の延長部２ｅがあるので、この延長部２ｅのパター練習用マット２ｆとパター練習用球受穴２ｇを使ってパターの練習も行える。
【実施例２】
【００３３】
図８に示す実施例２は、実施例１において、接地ベース２に延長部２ｅがない例であり、この場合はパター練習はできないが、実施例１同様にターフ感覚のアイアンショットを体験、練習ができる。図８の符号は、実施例１の構造・符号と共通している。
【実施例３】
【００３４】
図９，１０に示す実施例３は、実施例１において、接地ベース２の前縁の左右いずれかの隅部に練習用ゴルフ球４の飛球を受ける受板８を備えた例である。図中、３ｋ，８ａはネジ穴、８ｂは水平部、８ｃはアンカー挿入孔、９はネジである。図９に示すように、受板８は断面Ｌ字型の長方形状で、両側にネジ穴８ａを備え、水平部８ｂの両側にはアンカー挿入孔８ｃを形成している。箱型管体３の両端部にはネジ穴３ｋを形成し、その飛球方向側のネジ穴３ｋと受板８のネジ穴８ａをネジ９で連通して取り付けている。練習用ゴルフ球４の紐４ａはネジ９の基部に結着している。受板８は長さが５０ｃｍ、高さが１２ｃｍで、紐４ａの長さは３０ｃｍである。図９，１０に示すのは右利きの例であり、左利きの場合は受板８を反対側のネジ穴３ｋに取り付ける。
【００３５】
実施例３では、ネジ９を緩めて受板８を飛球方向側へ展開させ、アンカー挿入孔８ｃにアンカー釘７を挿入して打ち込み、ネジ９を締めて固定する。打ち込み後、飛球の高さが低い場合は、図１０（ａ）に示すように受板８に当たって近傍に転がり、次の打ち込み準備が迅速に行える。また、飛球の勢いが強くても安全である。飛球の高さが高い場合は、図１０（ｂ）に示すように結着部４ｂを中心に勢い良く旋回するが、受板８に当たって旋回を直ぐに止めることができ、前記と同様に次の打ち込み準備が迅速に行える。未使用時は受板８を内側へ回転させてコンパクトな形態にでき、運搬・保管が容易となる。その他、符号、構成は実施例１と共通である。
【産業上の利用可能性】
【００３６】
本発明は、アイアンによるターフ取りのショットの他に、ウッドによるショットの練習及びパターの練習にも使用できうるものでゴルフの総合的な練習器となっている。
【図面の簡単な説明】
【００３７】
【図１】実施例１を示す平面図である。
【図２】図１のＡ−Ａ断面図である。
【図３】図１のＢ−Ｂ断面を示す拡大断面図である。
【図４】実施例１の人工芝マットを示す平面図である。
【図５】実施例１の接地ベースを示す平面図である。
【図６】図１のＣ−Ｃ断面図である。
【図７】実施例１のアイアンヘッドの打ち込み状態を示す説明図である。
【図８】実施例２のゴルフ練習器を示す平面図である。
【図９】実施例３のゴルフ練習器を示す平面図である。
【図１０】実施例３のゴルフ練習器の使用状態を示す説明図である。
【符号の説明】
【００３８】
１  人工芝マット
１ａ  マットベース
１ｂ  人工芝
１ｃ  延伸部
１ｄ  剛体部材
１ｅ  ティーアップ用孔
１ｆ  ティーアップ器
１ｇ  シート
１ｈ  ゴルフ球のプレース位置マーク
１ｉ  リベット
２  接地ベース
２ａ  上層ベース板
２ｂ  下層ベース板
２ｃ  切り抜き部
２ｄ  空所
２ｅ  延長部
２ｆ  パター練習用マット
２ｇ  パター練習用球受穴
３  箱型管体
３ａ  スリット状開口
３ｂ，３ｃ  エンドキャップ
３ｄ，３ｅ  ヘリカルスプリング
３ｆ，３ｇ  コイルスプリング規制ねじ軸
３ｈ  ビス
３ｉ  アンカー係止部
３ｊ  アンカー挿入孔
３ｋ  ネジ穴
４  練習用ゴルフ球
４ａ  紐
４ｂ  結着部
５  アイアン
５ａ  アイアンヘッド
５ｂ  エッジ
５ｃ  ソール
６  弾性体
７  アンカー釘
８  受板
８ａ  ネジ穴
８ｂ  水平部
８ｃ  アンカー挿入孔
９  ネジ
【図１】
2009101148.tif 000003
【図２】
2009101148.tif 000004
【図３】
2009101148.tif 000005
【図４】
2009101148.tif 000006
【図５】
2009101148.tif 000007
【図６】
2009101148.tif 000008
【図７】
2009101148.tif 000009
【図８】
2009101148.tif 000010
【図９】
2009101148.tif 000011
【図１０】
2009101148.tif 000012